(57)【要約】【課題】会議で使用する電子ファイルに基づいて広告を表示制御できる表示制御装置及び表示制御プログラムを提供する。【解決手段】  会議において使用する電子ファイルが表す文書から抽出された文書を特徴付ける単語を送信する送信手段と、送信手段が送信する単語によって特徴を表される広告を受信する受信手段と、受信手段が受信した広告を表示するように表示装置を制御する制御手段とを備える。  この構成によれば、会議において使用する文書を特徴付ける単語によって特徴が表される広告の表示を制御できる。【選択図】図２
2009032090.tif 000002
【特許請求の範囲】
【請求項１】
会議において使用する電子ファイルが表す文書から抽出された前記文書を特徴付ける単語を送信する送信手段と、
前記送信手段が送信する単語によって特徴を表される広告を受信する受信手段と、
前記受信手段が受信した広告を表示するように表示装置を制御する制御手段とを備えることを特徴とする表示制御装置。
【請求項２】
広告を検索するために用いられる単語を受信する受信手段と、
前記広告と前記広告を特徴付ける単語とを関連付けて記憶する記憶部から、前記受信手段が受信した単語に基づいて前記広告を検索する検索手段と、
前記検索手段が検索した広告を送信する送信手段とを備えることを特徴とする広告送信装置。
【請求項３】
前記送信手段は、前記文書を特徴付ける単語と前記文書を特徴付けない所定の単語とを送信し、
前記受信手段は、前記広告と前記広告を特徴付ける単語であって前記送信手段が送信した単語とを関連付けて受信し、
前記制御手段は、前記文書を特徴付ける単語に基づいて前記受信手段が受信した広告を表示するよう表示装置を制御することを特徴とする請求項１に記載の表示制御装置。
【請求項４】
前記検索手段は、前記受信手段が受信した単語のいずれか１つ以上に基づいて前記広告を検索し、
前記送信手段は、前記検索手段が前記広告の検索に用いた単語と、検索した広告とを関連付けて送信することする請求項２に記載の広告送信装置。
【請求項５】
前記受信手段は、前記送信手段が送信した文書を特徴付ける単語、及び前記文書を特徴付ける単語と同一又は類似の意味を有する他の単語のいずれか１つ以上によって特徴を表される前記広告を受信することを特徴とする請求項１に記載の表示制御装置。
【請求項６】
前記受信手段が受信した単語、及び前記単語と同一又は類似の意味を有する他の単語のいずれか１つ以上に基づいて前記広告を検索することを特徴とする請求項２に記載の広告送信装置。
【請求項７】
会議において使用する電子ファイルが表す文書から前記文書を特徴付ける単語を抽出する抽出手段と、
前記会議において表示される広告と前記広告を特徴付ける単語とを関連付けて記憶する記憶部から、前記抽出手段が抽出した単語に基づいて前記広告を検索する検索手段と、
前記検索手段が検索した広告を表示装置が表示するよう制御する制御手段とを備えることを特徴とする表示制御装置。
【請求項８】
会議において使用する電子ファイルが表す文書から前記文書を特徴付ける単語を抽出する抽出手段と、
前記会議において表示される広告と前記広告を特徴付ける単語とを関連付けて記憶する記憶部から、前記抽出手段が抽出した単語に基づいて前記広告を検索する検索手段と、
前記検索手段が検索した広告を表示する表示手段とを備えることを特徴とする広告表示システム。
【請求項９】
コンピュータを、
会議において使用する電子ファイルが表す文書から抽出された前記文書を特徴付ける単語を送信する送信手段と、
前記送信手段が送信する単語によって特徴を表される広告を受信する受信手段と、
前記受信手段が受信した広告を表示するように表示装置を制御する制御手段として機能させることを特徴とする表示制御プログラム。
【請求項１０】
コンピュータを、
広告を検索するために用いられる単語を受信する受信手段と、
前記広告と前記広告を特徴付ける単語とを関連付けて記憶する記憶部から、前記受信手段が受信した単語に基づいて前記広告を検索する検索手段と、
前記検索手段が検索した広告を送信する送信手段として機能させることを特徴とする広告送信プログラム。
【請求項１１】
コンピュータを、
会議において使用する電子ファイルが表す文書から前記文書を特徴付ける単語を抽出する抽出手段と、
前記会議において表示される広告と前記広告を特徴付ける単語とを関連付けて記憶する記憶部から、前記抽出手段が抽出した単語に基づいて前記広告を検索する検索手段と、
前記検索手段が検索した広告を表示装置が表示するよう制御する制御手段として機能させることを特徴とする表示制御プログラム。
【発明の詳細な説明】
【技術分野】
【０００１】
本発明は、表示制御装置、広告送信装置、広告表示システム、表示制御プログラム、及び広告送信プログラムに関する。
【背景技術】
【０００２】
従来から、会議における発言に基づいて会議の参加者に表示する広告を選択できるシステムが知られている（例えば、特許文献１）。
【０００３】
このシステムは、会議の参加者に表示する広告と広告を検索するためのキーワードとを関連付けて記憶する広告辞書と、語彙解析システムを用いて会議における発言内容から広告を検索するためのキーワードを抽出する手段と、抽出されたキーワードに基づいて広告辞書が記憶する広告を選択する手段とを備えることを特徴としている。
【特許文献１】特開２００２‐２８８１７９
【発明の開示】
【発明が解決しようとする課題】
【０００４】
本発明の目的とするところは、会議で使用する電子ファイルに基づいて広告を送信できる広告送信装置及び広告送信プログラム、広告を表示制御できる表示制御装置及び表示制御プログラム、並びに広告を表示できる広告表示システムを提供することにある。
【課題を解決するための手段】
【０００５】
本発明に係る表示制御装置は、会議において使用する電子ファイルが表す文書から抽出された文書を特徴付ける単語を送信する送信手段と、送信手段が送信する単語によって特徴を表される広告を受信する受信手段と、受信手段が受信した広告を表示するように表示装置を制御する制御手段とを備えることを特徴としている。
【０００６】
本発明に係る広告送信装置は、広告を検索するために用いられる単語を受信する受信手段と、広告と広告を特徴付ける単語とを関連付けて記憶する記憶部から、受信手段が受信した単語に基づいて広告を検索する検索手段と、検索手段が検索した広告を送信する送信手段とを備えることを特徴としている。
【０００７】
上記表示制御装置の構成において、送信手段は、文書を特徴付ける単語と文書を特徴付けない所定の単語とを送信し、受信手段は、広告と広告を特徴付ける単語であって送信手段が送信した単語とを関連付けて受信し、制御手段は、文書を特徴付ける単語に基づいて受信手段が受信した広告を表示するよう表示装置を制御する構成を採用できる。
【０００８】
上記広告送信装置の構成において、検索手段は、受信手段が受信した単語のいずれか１つ以上に基づいて広告を検索し、送信手段は、検索手段が広告の検索に用いた単語と、検索した広告とを関連付けて送信する構成を採用できる。
【０００９】
上記表示制御装置の構成において、受信手段は、送信手段が送信した文書を特徴付ける単語、及び文書を特徴付ける単語と同一又は類似の意味を有する他の単語のいずれか１つ以上によって特徴を表される広告を受信する構成を採用できる。
【００１０】
上記広告送信装置の構成において、受信手段が受信した単語、及び単語と同一又は類似の意味を有する他の単語のいずれか１つ以上に基づいて広告を検索する構成を採用できる。
【００１１】
本発明に係る表示制御装置は、会議において使用する電子ファイルが表す文書から文書を特徴付ける単語を抽出する抽出手段と、会議において表示される広告と広告を特徴付ける単語とを関連付けて記憶する記憶部から、抽出手段が抽出した単語に基づいて広告を検索する検索手段と、検索手段が検索した広告を表示装置が表示するよう制御する制御手段とを備えることを特徴としている。
【００１２】
本発明に係る広告表示システムは、会議において使用する電子ファイルが表す文書から文書を特徴付ける単語を抽出する抽出手段と、会議において表示される広告と広告を特徴付ける単語とを関連付けて記憶する記憶部から、抽出手段が抽出した単語に基づいて広告を検索する検索手段と、検索手段が検索した広告を表示する表示手段とを備えることを特徴としている。
【００１３】
本発明に係る表示制御プログラムは、コンピュータを、会議において使用する電子ファイルが表す文書から抽出された文書を特徴付ける単語を送信する送信手段と、
送信手段が送信する単語によって特徴を表される広告を受信する受信手段と、受信手段が受信した広告を表示するように表示装置を制御する制御手段として機能させるこことを特徴としている。
【００１４】
本発明に係る広告送信プログラムは、コンピュータを、広告を検索するために用いられる単語を受信する受信手段と、広告と広告を特徴付ける単語とを関連付けて記憶する記憶部から、受信手段が受信した単語に基づいて広告を検索する検索手段と、検索手段が検索した広告を送信する送信手段として機能させることを特徴としている。
【００１５】
本発明に係る表示制御プログラムは、コンピュータを、会議において使用する電子ファイルが表す文書から文書を特徴付ける単語を抽出する抽出手段と、会議において表示される広告と広告を特徴付ける単語とを関連付けて記憶する記憶部から、抽出手段が抽出した単語に基づいて広告を検索する検索手段と、検索手段が検索した広告を表示装置が表示するよう制御する制御手段として機能させることを特徴としている。
【発明の効果】
【００１６】
請求項１の構成によれば、会議において使用する文書を特徴付ける単語によって特徴が表される広告の表示を制御できる。
【００１７】
請求項２の構成によれば、受信した単語によって特徴を表される広告を送信できる。
【００１８】
請求項３の構成によれば、会議で使用する文書の内容を特徴付けない単語をも送信するので、送信される単語に基づいて文書内容を推測することが困難となる。
【００１９】
請求項４の構成によれば、検索した広告と広告を検索するために用いた単語とを関連付けて送信できる。
【００２０】
請求項５の構成によれば、会議において使用する文書を特徴付ける単語のみならず、それに類似した単語によって特徴付けられる広告の表示を制御できる。
【００２１】
請求項６の構成によれば、会議において使用する文書を特徴付ける単語のみならず、それに類似した単語によって特徴付けられる広告を送信できる。
【００２２】
請求項７の構成によれば、会議において使用する文書を特徴付ける単語によって特徴付けられる広告の表示を制御できる。
【００２３】
請求項８の構成によれば、会議において使用する文書を特徴付ける単語によって特徴付けられる広告を表示できる。
【００２４】
請求項９の構成によれば、会議において使用する文書を特徴付ける単語によって特徴が表される広告の表示を制御できる。
【００２５】
請求項１０の構成によれば、受信した単語によって特徴を表される広告を送信できる。
【００２６】
請求項１１の構成によれば、会議において使用する文書を特徴付ける単語によって特徴付けられる広告を表示するよう表示装置を制御できる。
【発明を実施するための最良の形態】
【００２７】
以下、本発明の最良の実施形態について、添付図面を参照しつつ説明する。
【実施例１】
【００２８】
図１は本発明に係る広告表示システムの一実施形態を示す機能ブロック図である。
広告表示システム１０は、通信網１００、表示制御装置１０００、表示装置１１００、入力装置１２００、及び広告送信装置９０００で構成される。
【００２９】
表示制御装置１０００、表示装置１１００、及び入力装置１２００（以下単に、表示制御装置１０００等という）は同じ会議室Ｒに設置される。一方で、広告送信装置９０００は会議室Ｒ以外の部屋に設置される。
【００３０】
本実施例では、表示制御装置１０００等が同じ会議室Ｒに設置され、広告送信装置９０００が会議室Ｒ以外の部屋に設置されるとして説明するが、これに限定される訳ではなく、表示制御装置１０００等と広告送信装置９０００とが同じ会議室Ｒに設置される構成を採用することができる。
【００３１】
また、本実施例では、広告表示システム１０は、１の表示制御装置１０００と１の表示装置１１００と１の入力装置１２００で構成されるとして説明するが、これに限定される訳ではなく、例えば、複数の表示制御装置１０００、表示装置１１００、及び入力装置１２００で構成される構成を採用できる。
【００３２】
通信網１００は、例えば、ＬＡＮ（Local Area Network）、ＷＡＮ（Wide Area Network）、ＭＡＮ（Metropolitan Area Network）、又は公衆回線網で構成され、表示制御装置１０００、及び広告送信装置９０００を通信可能に接続する。
【００３３】
表示制御装置１０００は、例えば、パーソナル・コンピュータで構成され、表示装置１１００、入力装置１２００、及び広告送信装置９０００に接続する。尚、表示制御装置１０００は、広告送信装置９０００に対して通信網１００を介して接続する。
【００３４】
表示制御装置１０００は、会議室Ｒで開催される会議において使用する電子ファイルが表す文書を特徴付ける単語によって特徴が表される広告を表示するよう表示装置１１００を制御する。
【００３５】
ここで図２を参照して、表示制御装置１０００の構成について説明する。図２は、表示制御装置１０００の一構成例について説明するための機能ブロック図である。
【００３６】
表示制御装置１０００は、制御部１０１０、記憶部１０２０、抽出部１０３０、送信部１０４０、及び受信部１０５０で構成される。制御部１０１０、記憶部１０２０、抽出部１０３０、送信部１０４０、及び受信部１０５０が有する各機能は、表示制御装置１０００が実行するソフトウェア制御により実現される。
【００３７】
ここで、図３を参照して、ソフトウェア制御を実行するための表示制御装置１０００のハードウェア構成について説明する。図３は、このソフトウェア制御を実現するための表示制御装置１０００のハードウェアの一構成例を表す図である。
【００３８】
表示制御装置１０００は、例えば、ＣＰＵ（Central Processing Unit）等の演算部１００１、ＥＰＲＯＭ（Erasable Programmable Read-Only Memory）又はＥＥＰＲＯＭ（Electrically Erasable Programmable Read-Only Memory）等の読み出し専用メモリであるＲＯＭ１００２（Read-Only Memory ）、ＤＲＡＭ（Dynamic  RAM）又はＳＲＡＭ（Static  RAM）等の揮発性メモリ及びＮＶＲＡＭ（Non Volatile RAM）等の不揮発性メモリで構成されるＲＡＭ１００３（Random Access Memory）、並びにハードディスク等の外部記憶装置で構成される外部記憶部１００４で構成され、演算部１００１、ＲＯＭ１００２、ＲＡＭ１００３、及び外部記憶部１００４は互いにバス１００５によって接続している。
【００３９】
ソフトウェア制御は、ＲＯＭ１００２又は外部記憶部１００４に格納したプログラムであるアプリケーションを演算部１００１が読込み、読込んだアプリケーションに従って演算部１００１が演算を行うことにより上記各部の機能を実現する。なお、ＲＡＭ１００３には、演算結果のデータが書き込まれ、特にＮＶＲＡＭには、電源オフ時にバックアップが必要なデータが保存される。
【００４０】
次に図２に戻り、引き続き表示制御装置１０００の構成について説明する。
制御部１０１０は、記憶部１０２０、抽出部１０３０、送信部１０４０、受信部１０５０、表装置１１００、及び入力装置１２００に接続する。制御部１０１０は、制御処理を実行することで、電子ファイルの取扱に関する機能を提供するよう表示制御装置１０００を構成する他の各部を制御する。尚、制御処理については後述する。
【００４１】
電子ファイルの取扱に関する機能は、例えば、電子ファイルの保存機能、移動機能、コピー（複製）機能、圧縮機能、送信機能、及び受信機能、並びに電子ファイルが表す文書を表示するよう表示部１１００を制御する表示制御機能を含む。
【００４２】
本実施例では、電子ファイルの取扱に関する機能は、電子ファイルの保存機能、コピー（複製）機能、圧縮機能、送信機能、及び受信機能、並びに表示制御機能を含むとして説明するが、これに限定される訳ではなく、例えば、プリンタで構成される印刷装置に表示制御装置１０００が接続する場合には、電子ファイルが表す文書を印刷出力する機能等のパーソナル・コンピュータが通常有する印刷機能、又は容易に追加される機能であって電子ファイルを取り扱う機能を含む。
【００４３】
また、制御部１０１０は、電子ファイルの取扱に関する機能を提供するよう他の各部を制御する場合に、表示制御処理を実行することで、受信部１０５０が受信した広告を表示するように表示装置１１００を制御する。尚、詳細については後述するが、受信部１０５０が受信する広告は、会議において使用する文書を特徴付ける単語によって特徴が表される広告である。
【００４４】
よって図４を参照して、制御部１０１０が実行する制御処理について説明する。図４は、制御部１０１０が実行する制御処理の一例を表すフローチャートである。
【００４５】
先ず、制御部１０１０は、入力部１０１０からファイル識別情報と機能識別情報とを取得する（ステップＳＴ０００１）。ここで、機能識別情報とは、電子ファイルの取扱に関する機能を識別する情報をいう。
【００４６】
また、ファイル識別情報とは、記憶部１０２０が記憶する電子ファイルを識別する情報をいう。具体的には、ファイル識別情報は、電子ファイルを保存したディレクトリとファイル名との組み合わせを含む。
【００４７】
次に、制御部１０１０は、記憶部１０２０から、取得したファイル識別情報が識別する電子ファイルを取得する（ステップＳＴ０００２）。その後、制御部１０１０は、抽出部１０３０へ取得した電子ファイルを出力する（ステップＳＴ０００３）。
【００４８】
その後、制御部１０１０は、表示制御装置１０００を構成する各部を、取得した機能識別情報で識別される機能を提供するよう制御等する（ステップＳＴ０００４）。
【００４９】
具体的には、制御部１０１０は、電子ファイルのコピー機能を提供する場合には、取得した電子ファイルを取得したファイル識別情報と異なる識別情報に関連付けて記憶するよう記憶部１０２０を制御する。尚、電子ファイルの保存機能、コピー（複製）機能、圧縮機能、送信機能、及び受信機能、並びに表示制御機能についても同様であるので説明を省略する。
【００５０】
次に、制御部１０１０は、表示制御処理を実行する（ステップＳＴ０００５）。その後、制御部１０１０は、制御処理の実行を終了する。
【００５１】
次に、制御部１０１０が実行する表示制御処理の一例について説明する。
先ず、制御部１０１０は、受信部１０５０から、後述する送信部１０４０が送信した単語で特徴付けられる広告を取得する。次に、制御部１０１０は、取得した広告を表示するように表示装置１１００を制御する。その後、制御部１０１０は、表示制御処理の実行を終了する。
【００５２】
次に図２に戻り、引き続き表示制御装置１０００の構成について説明する。
記憶部１０２０は、例えば、ＲＡＭ１００３又は外部記憶部１００４で構成され、制御部１０１０に接続する。
【００５３】
記憶部１０２０は、文書を表す電子ファイルと電子ファイルを識別するファイル識別情報とを関連付けて記憶する。記憶部１０２０が記憶した電子ファイル及びファイル識別情報は、制御部１０１０によって参照される。
【００５４】
抽出部１０３０は、制御部１０１０及び送信部１０４０に接続している。抽出部１０３０は、抽出処理を実行することで、会議において使用する電子ファイルが表す文書から、文書を特徴付ける単語（以下単に、文書特徴単語という）を抽出する。
【００５５】
ここで図５を参照して、抽出部１０３０が実行する抽出処理について説明する。図５は、抽出部１０３０が実行する抽出処理の一例を表すフローチャートである。
【００５６】
先ず、抽出部１０３０は、制御部１０１０から電子ファイルを取得する（ステップＳＴ０１０１）。次に、抽出部１０３０は、取得した電子ファイルが表す文書を構成する単語を取得する（ステップＳＴ０１０２）。
【００５７】
尚、電子ファイルが表す文書を構成する単語を取得するために抽出部１０３０が実行する処理は、例えば、形態素解析を実行する処理、又は特に英語表記された文字列の場合には、文書を構成する文を空白文字で分割することで単語を取得する処理等の公知の処理を採用できる。
【００５８】
次に、抽出部１０３０は、取得した電子ファイルが表す文書における単語の使用回数に基づいて文書特徴単語を取得する（ステップＳＴ０１０３）。具体的には、使用回数が多い単語を文書特徴単語とする。
【００５９】
本実施例では、会議において使用する電子ファイルが表す文書における単語の使用回数に基づいて文書特徴単語を取得する場合について説明するが、これに限定される訳ではなく、例えば、新聞又は雑誌等の文書における使用回数が少ない単語であって、かつ会議において使用する文書を構成する単語を文書特徴単語とする構成を採用できる。
【００６０】
その後、抽出部１０３０は、文書特徴単語を送信部１０４０へ出力する（ステップＳＴ０１０４）。その後、抽出部１０３０は抽出処理の実行を終了する。
【００６１】
次に図２に戻り、引き続き表示制御装置１０００の構成について説明する。
送信部１０４０は、例えば、ネットワーク・アダプタで構成され、通信網１００、制御部１０１０、及び抽出部１０３０に接続している。送信部１０４０は、抽出部１０３０から文書特徴単語を取得し、取得した単語を通信網１００を介して広告送信装置９０００へ送信する。
【００６２】
また、送信部１０４０は、電子ファイルを取り扱う機能に含まれる送信機能を提供する。つまり送信部１０４０は、制御部１０１０に制御されて、電子ファイルを通信網１００へ送信する。
【００６３】
受信部１０５０は、例えば、ネットワーク・アダプタで構成され、通信網１００及び制御部１０１０に接続している。受信部１０５０は、広告送信装置９０００から通信網１００を介して、送信部１０４０が送信した文書特徴単語で特徴を表される広告を受信し、受信した広告を制御部１０１０へ出力する。
【００６４】
また、受信部１０５０は、電子ファイルを取り扱う機能に含まれる受信機能を提供する。つまり受信部１０５０は、制御部１０１０に制御されて、電子ファイルを通信網１００から受信する。
【００６５】
次に図１に戻り、引き続き広告表示システム１０の構成について説明する。
表示装置１１００は、例えば、ＣＲＴ（Cathode Ray Tube）、液晶ディスプレイ、又はプラズマディスプレイで構成され、表示制御装置１０００に接続している。表示装置１１００は、表示制御装置１０００に制御されて広告を表示する。
【００６６】
入力装置１２００は、例えば、キーボード、ポインティング・ディバイス（いわゆるマウス）、又はタッチパネルで構成され、表示制御装置１０００に接続している。入力装置１２００は、広告表示装置１０００を使用する使用者に操作されて、各種の情報を入力する。
【００６７】
尚、入力装置１２００が入力する情報は、ファイル識別情報とファイル識別情報で識別される電子ファイルに対して提供を求める機能を識別する機能識別情報とを含む。
【００６８】
広告送信装置９０００は、例えば、パーソナル・コンピュータで構成され、通信網１００を介して表示制御装置９０００に接続している。広告送信装置９０００は、広告を検索するために用いられる単語を受信し、受信した単語によって特徴を表される広告を送信する。
【００６９】
ここで図６を参照して、広告送信装置９０００の構成について説明する。図６は、広告送信装置９０００の一構成例を表す機能ブロック図である。
【００７０】
広告送信装置９０００は、受信部９０１０、記憶部９０２０、検索部９０３０、及び送信部９０４０で構成される。受信部９０１０、記憶部９０２０、検索部９０３０、及び送信部９０４０は、広告送信装置９０００が実行するソフトウェア制御により実現される。
【００７１】
尚、ソフトウェア制御を実行するための広告送信装置９０００のハードウェア構成は、図３を参照して説明したソフトウェア制御を実行するための広告送信装置９０００の構成とほぼ同様であるので説明を省略する。
【００７２】
受信部９０１０は、例えば、ネットワーク・カードで構成され、通信網１００及び検索部９０３０に接続する。受信部９０１０は、通信網１００から表示制御装置１０００が送信した文書特徴単語を受信し、受信した単語を検索部９０３０へ出力する。
【００７３】
記憶部９０２０は、例えば、ＲＡＭ又は外部記憶装置で構成され、検索部９０３０に接続する。記憶部９０２０は、１又は複数の単語と単語によって特徴付けられる広告とを関連付けて広告表に記憶する。
【００７４】
ここで表１を参照して、記憶部９０２０が記憶する広告表について説明する。表１は、記憶部９０２０が記憶する広告表の一例を示す表である。
【００７５】
【表１】
2009032090.tif 000003
【００７６】
表１は、識別情報フィールド、単語１フィールド、単語２フィールド、及び単語３フィールドを有する。識別情報フィールドは、広告を識別する広告識別情報を保存する。
【００７７】
ここで、広告識別情報は、広告を表す画像ファイル又は動画ファイルを識別する情報を含む。画像ファイル又は動画ファイルを識別する情報は、電子ファイルを識別する情報と同様に、画像ファイル又は動画ファイルを保存したディレクトリとファイル名との組み合わせを含む。
【００７８】
単語１フィールド、単語２フィールド、及び単語３フィールドは、同一レコードの識別情報フィールドに保存された情報が識別する広告を特徴付ける単語を保存する。
【００７９】
尚、識別情報フィールドはキーフィールドである。よって、識別情報フィールドに保存する情報が、相異なるレコード間で重複することはない。また、単語１フィールド、単語２フィールド、及び単語３フィールドに保存した単語が、同一レコード間で重複することはない。
【００８０】
検索部９０３０は、受信部９０１０、記憶部９０２０、及び送信部９０４０に接続する。検索部９０３０は、検索処理を実行することで、受信部９０１０から文書特徴単語を取得し、取得した文書特徴単語のいずれか１つ以上と関連付けて記憶部９０２０が記憶する広告を検索し、検索した広告を送信部９０４０へ出力する。
【００８１】
送信部９０４０は、例えば、ネットワーク・アダプタで構成され、通信網１００及び検索部９０３０に接続する。送信部９０４０は、検索部９０３０から広告を取得し、取得した広告を通信網１００を介して表示制御装置１０００へ送信する。
【００８２】
上記実施例では、広告表示システム１０は表示装置１１００を備え、広告は画像又は動画で表され、かつ広告は表示制御装置１０００に制御された表示装置１１００が表示するとして説明したが、これに限定される訳ではなく、広告表示システム１０は、例えば、スピーカで構成される出音装置を備え、広告は音声で表され、かつ広告は表示制御装置１０００に制御された出音装置が出音する構成を採用できる。
【００８３】
本実施例においては、制御部１０１０が制御手段に相当し、抽出部１０３０が抽出手段に相当し、送信部１０４０が表示制御装置が有する送信手段に相当し、受信部１０５０が表示制御装置が有する受信手段に相当し、表示装置１１００が表示手段に相当し、受信部９０１０が広告送信装置が有する受信手段に相当し、検索部９０３０が検索手段に相当し、送信部９０４０が広告送信装置が有する送信手段に相当する。
【００８４】
以下、本発明の第２の実施形態について図面を参酌しながら説明する。
【実施例２】
【００８５】
第２の実施例において説明する広告表示システムは、文書特徴単語のみならず所定の単語をも表示制御装置と広告送信装置との間で送受信する点で実施例１と異なる。
【００８６】
先ず、図７を参照して、実施例２における広告表示システムの構成について説明する。図７は、実施例２における広告表示システムの一構成例を表す図である。
【００８７】
図７が示す広告表示システム２０は、通信網２００、１又は複数の表示制御装置２０００、表示装置２１００、及び入力装置２２００、並びに広告送信装置８０００で構成される。尚、本実施例においては、実施例１と同様に、１の表示制御装置２０００、表示装置２１００、及び入力装置２２００でシステムが構成される場合について説明する。
【００８８】
通信網２００、表示制御装置２０００、表示装置２１００、入力装置２２００、及び広告送信装置８０００の接続、構成、及び機能は、実施例１で説明した通信網１００、表示制御装置１０００、表示装置１１００、入力装置１２００、及び広告送信装置９０００の接続、構成、及び機能とほぼ同様であるので、以下主に、相違点について説明する。
【００８９】
表示制御装置２０００は、通信網２００を介して広告送信装置８０００へ、文書特徴単語のみならず所定の単語をも送信する点で実施例１と異なる。また、表示制御装置２０００は、通信網２００を介して広告送信装置８０００から、広告のみならず広告を特徴付ける単語をも広告と関連付けて取得する点で実施例１と異なる。
【００９０】
ここで図８を参照して、表示制御装置２０００の構成について説明する。図８は、実施例２における表示制御装置２０００の一構成例を表す機能ブロック図である。
【００９１】
表示制御装置２０００は、制御部２０１０、記憶部２０２０、抽出部２０３０、送信部２０４０、受信部２０５０、係数算出部２０６０、及び登録部２０７０で構成される。
【００９２】
制御部２０１０、記憶部２０２０、抽出部２０３０、送信部２０４０、及び受信部２０５０の接続、構成、及び機能は、実施例１で説明した制御部１０１０、記憶部１０２０、抽出部１０３０、送信部１０４０、及び受信部１０５０の接続、構成、及び機能とほぼ同一であるので以下主に、相違点について説明する。
【００９３】
また、係数算出部２００６及び登録部２００７は、表示制御装置２０００が実行するソフトウェア制御により実現される。尚、ソフトウェア制御を実行するための表示制御装置２０００のハードウェア構成は、実施例１で説明した構成と同様であるので説明を省略する。
【００９４】
制御部２０１０については後述する。
記憶部２０２０は、電子ファイルとファイル識別情報のみならず、文書特徴単語と文書特徴単語の重付係数とを関連付けて単語表に記憶する。尚、重付係数とは、文書特徴単語が文書を特徴付ける程度を表す数値である。また、重付係数の計算方法の一例については後述する。
【００９５】
ここで表２を参照して、記憶部２０２０が記憶する単語表について説明する。表２は、記憶部２０２０が記憶する単語表の一例を示す表である。
【００９６】
【表２】
2009032090.tif 000004
【００９７】
表２は、単語フィールドと係数フィールドとを有している。単語フィールドは文書特徴単語を保存し、係数フィールドは同じレコードの単語フィールドに保存された文書特徴単語の重付係数を保存する。尚、単語フィールドはキーフィールドである。
【００９８】
また、記憶部２０２０は、抽出部２０３０によって参照される所定の単語を記憶する。
【００９９】
抽出部２０３０は、制御部２０１０及び送信部２０４０のみならず、係数算出部２０６０に接続する点で実施例１で説明した抽出部１０３０と異なる。
【０１００】
抽出部２０３０は、抽出処理を実行することで、文書を特徴付ける文書特徴単語を抽出し、抽出した文書特徴単語と文書特徴単語と異なる所定の単語とを送信部２０４０へ出力する点で実施例１と異なる。
【０１０１】
ここで図９を参照して、実施例２において抽出部２０３０が実行する抽出処理について説明する。図９は、実施例２において抽出部２０３０が実行する抽出処理の一例を表すフローチャートである。
【０１０２】
抽出部２０３０は、ステップＳＴ０２０１からＳＴ０２０３までの処理を実行する（ステップＳＴ０２０１からＳＴ０２０３）。ステップＳＴ０２０１からＳＴ０２０３の処理は、図５を参照して説明したステップＳＴ０１０１からＳＴ０１０３の処理とほぼ同一であるので説明を省略する。
【０１０３】
ステップＳＴ０２０３を実行した後に、抽出部２０３０は、係数算出部２０６０へ文書特徴単語と文書特徴単語の文書中の使用回数とを関連付けて出力する（ステップＳＴ０２０４）。
【０１０４】
次に、抽出部２０３０は、文書を特徴付けない所定の単語として、記憶部２０２０が記憶する文書特徴単語以外の単語（以下単に、所定の単語という）を取得する（ステップＳＴ０２０５）。その後、抽出部２０３０は、送信部２０４０へ文書特徴単語と所定の単語とを出力する（ステップＳＴ０２０６）。その後、抽出部２０３０は、抽出処理の実行を終了する。
【０１０５】
ここで図８に戻り、引き続き表示制御装置２０００の構成について説明する。
送信部２０４０は、抽出部２０３０から、文書を特徴付ける単語と文書を特徴付けない所定の単語とを取得し、通信網２００を介して広告送信装置８０００へ取得した単語を送信する点で実施例１と異なる。
【０１０６】
受信部２０５０は、広告と広告を特徴付ける単語であって送信部２０４０が送信した単語とを関連付けて受信し、受信した広告と単語とを関連付けて制御部２０１０へ出力する点で実施例１と異なる。
【０１０７】
係数算出部２０６０は、抽出部２０３０及び登録部２０７０に接続している。係数算出部２０６０は、係数算出処理を実行することで、重付係数を算出し、算出した係数を登録部２０７０へ出力する。
【０１０８】
よって図１０を参照して、係数算出部２０６０が実行する係数算出処理について説明する。図１０は、係数算出部２０６０が実行する係数算出処理の一例を表すフローチャートである。
【０１０９】
係数算出部２０６０は、抽出部２０３０から文書特徴単語と文書特徴単語の使用回数とを取得する（ステップＳＴ０３０１）。次に、係数算出部２０６０は、全ての特徴単語の使用回数の総和を計算する（ステップＳＴ０３０２）。
【０１１０】
その後、係数算出部２０６０は、ステップＳＴ０３０４からＳＴ３０６の処理の対象としていない文書特徴単語（以下この図において、未処理の特徴単語という）が存在するか否かを判断する（ステップＳＴ０３０３）。係数算出部２０６０は、未処理の特徴単語が存在すると判断する場合にはステップＳＴ０３０４の処理を、そうでない場合には係数算出処理の実行を終了する。
【０１１１】
ステップＳＴ０３０３において、係数算出部２０６０は、未処理の特徴単語が存在すると判断した場合には、未処理の特徴単語の内１つを処理対象単語とする（ステップＳＴ０３０４）。次に、係数算出部２０６０は、処理対象単語の使用回数を、ステップＳＴ０３０２で算出した使用回数の総和で除して重付係数を算出する（ステップＳＴ０３０５）。
【０１１２】
その後、係数算出部２０６０は、登録部２０７０へ処理対象単語と算出した重付係数とを関連付けて出力する（ステップＳＴ０３０６）。次に、係数算出部２０６０は、ステップＳＴ０３０３に戻り上記処理を繰り返す。
【０１１３】
ここで図８に戻り、引き続き表示制御装置２０００の構成について説明する。
登録部２０７０は、記憶部２０２０及び係数算出部２０６０に接続している。登録部２０７０は、係数算出部２０６０から文書特徴単語と文書特徴単語の重付係数と取得し、取得した文書特徴単語と重付係数とを関連付けて記憶部２０２０に登録する。
【０１１４】
制御部２０１０は、表示制御処理を実行することで、文書を特徴付ける単語に基づいて受信部２０５０が受信した広告を表示するよう表示装置２１００を制御する点で実施例１と異なる。
【０１１５】
ここで図１１を参照して、実施例２において制御部２０１０が実行する表示制御処理について説明する。図１１は、実施例２において制御部２０１０が実行する表示制御処理の一例を表すフローチャートの一例である。
【０１１６】
まず、制御部２０１０は、受信部２０５０から、広告と広告を特徴付ける単語（以下単に、広告特徴単語という）とを関連付けて取得する（ステップＳＴ０４０１）。次に、制御部２０１０は、ステップＳＴ０４０３からＳＴ０４０６の処理対象としていない広告（以下単に、未処理広告という）が存在するか否かを判断する（ステップＳＴ０４０２）。制御部２０１０は、未処理広告が存在すると判断する場合にはステップＳＴ０４０３の処理を、そうでない場合には表示制御処理の実行を終了する。
【０１１７】
ステップＳＴ０４０２において、制御部２０１０は、未処理広告が存在すると判断した場合には、未処理の広告の１つを処理対象広告とする（ステップＳＴ０４０３）。次に、制御部２０１０は、記憶部２０２０から、処理対象広告を特徴付ける広告特徴単語の全てについて重付係数を取得する（ステップＳＴ０４０４）。
【０１１８】
その後、制御部２０１０は、重付係数を取得できなかった広告特徴単語の重付係数を所定の係数とする（ステップＳＴ０４０５）。本実施例では、所定の係数を負の係数である「-0.1」とする。
【０１１９】
その後、制御部２０１０は、処理対象広告を特徴付ける全ての広告特徴単語の重付係数を総和する（ステップＳＴ０４０６）。次に、制御部２０１０は、重付係数の総和が所定の閾値を超えるか否かを判断する（ステップＳＴ０４０７）。制御部２０１０は、重付係数の総和（以下単に、総和係数という）が所定の閾値を超えると判断する場合にはステップＳＴ０４０８の処理を、そうでない場合にはステップＳＴ０４０２に戻り上記処理を繰り返す。
【０１２０】
ステップＳＴ０４０７において、制御部２０１０は、総和係数が所定の閾値を超えると判断した場合には、表示装置２１００が処理対象広告を表示するよう制御する（ステップＳＴ０４０８）。その後、制御部２０１０は、ステップＳＴ０４０２に戻り上記処理を繰り返す。
【０１２１】
ここで図１２を参照して、表示制御装置２０００と広告送信装置８０００との間で送受信される情報と表示制御装置２０００が表示制御する情報との関係について説明する。図１２は、表示制御装置２０００と広告送信装置８０００との間で送受信される情報と表示制御装置２０００が表示制御する情報との関係について説明するための図である。
【０１２２】
広告送信装置８０００が受信する情報ＩＳＧは、会議において使用される電子ファイルが表す文書を特徴付ける文書特徴単語ＷＣと、特徴付けない所定の単語ＷＤとを含む。尚、広告送信装置８０００が受信する情報ＩＳＧは、表示制御装置２０００が送信する情報と同じである。
【０１２３】
会議で使用される電子ファイルが表す文書から抽出された文書特徴単語ＷＣは、単語ＷＣ１から３で構成される。ここで例えば、表示制御装置２０００が文書から抽出した文書特徴単語ＷＣがＷＣ１から３のみであり、かつそれぞれの文書における使用回数が「１０回」、「６回」、及び「４回」であった場合について説明する。
【０１２４】
この場合には、文書特徴単語ＷＣがＷＣ１から３の重付係数はそれぞれ「0.5」、「0.3」、及び「0.2」となる。
【０１２５】
また、所定の単語ＷＤは、単語ＷＤ１及び２で構成される場合について説明する。文書を特徴付けない所定の単語ＷＤ１及び２は、文書特徴単語ＷＣ１から３と異なる単語であって、かつ表示制御装置２０００を構成する記憶部２０２０が記憶する単語である。また、所定の単語ＷＤ１及び２の重み付け係数は所定の係数である「-0.1」とする。
【０１２６】
次に、広告送信装置８０００が送信する情報ＩＳＳについて説明する。尚、広告送信装置８０００が送信する情報ＩＳＳは、表示制御装置２０００が受信する情報と同様である。
【０１２７】
ここで例えば、広告送信装置８０００が送信する情報ＩＳＳは、広告ＡＤ１と広告ＡＤ１を特徴付ける単語ＷＣ１及びＷＣ３とを関連付けた情報、広告ＡＤ２と単語ＷＣ２及びＷＤ１とを関連付けた情報、並びに広告ＡＤ３と単語ＷＣ１、ＷＣ３、及びＷＤ２とを関連付けた情報を含む場合について説明する。
【０１２８】
広告ＡＤ１を特徴付ける広告特徴単語は単語ＷＣ１及びＷＣ３であるため、広告ＡＤ１を特徴付ける広告特徴単語の重付係数の総和（つまり、総和係数）は「0.5」と「0.2」とを和算して「0.7」となる。同様に計算することで、広告ＡＤ２及びＡＤ３を特徴付ける広告特徴単語の総和係数は「0.2」及び「0.7」となる。
【０１２９】
ここで、広告ＡＤ２は、文書において使用された回数が２番目に少なかった文書特徴単語ＷＣ２と、文書を特徴付けない所定の単語ＷＤ１とで特徴付けられる。
【０１３０】
これに対して、広告ＡＤ１は、文書において使用された回数がもっとも多かった文書特徴単語ＷＣ１によって特徴付けられ、かつ文書を特徴付けない所定の単語ＷＤ１で特徴付けられない。
【０１３１】
よって、広告ＡＤ１は広告ＡＤ２よりも文書の内容を良く特徴付けるといえる。また、広告ＡＤ１の総和係数は広告ＡＤ２の総和係数よりも大きい値である。よって、一般的に、広告ＡＤを特徴付ける広告特徴単語の総和係数は、広告ＡＤが文書の内容を特徴付ける程度を数値をもって表すといえる。
【０１３２】
次に、表示制御装置２０００が表示制御する広告ＡＤＣについて説明する。表示制御装置２０００が表示制御する広告ＡＤＣは、例えば、所定の閾値を最も小さい値の重付係数「0.3」とすると、広告特徴単語の総和係数が所定の閾値を超える広告ＡＤ１及び３となる。つまり、表示制御装置２０００は、文書の内容を所定の程度以上に特徴付ける広告ＡＤを表示制御する。
【０１３３】
ここで図７に戻り、広告表示システム２０の構成について引き続き説明する。
広告送信装置８０００は、通信網２００を介して表示制御装置２０００へ、広告の検索に用いた単語と検索した広告とを関連付けて送信する点で実施例１と異なる。広告送信装置８０００は、実施例１で説明した広告送信装置９０００とほぼ同様の接続、構成、及び機能を有するため、以下主に、相違点について説明する。
【０１３４】
広告送信装置８０００は、実施例１で説明した受信部９０１０、記憶部９０２０、検索部９０３０、及び送信部９０４０に相当する部を有する。広告送信装置８０００が有する検索部９０３０に相当する部は、検索処理を実行することで、受信部９０１０に相当する部が受信した単語のいずれか１つ以上に基づいて、記憶部９０２０に相当する部が記憶する広告を検索し、検索した広告と検索に使用した単語とを関連付けて送信部９０４０に相当する部へ出力する点で実施例１と異なる。
【０１３５】
送信部９０４０に相当する部は、検索部９０３０に相当する部が前記広告の検索に用いた単語と検索した広告とを関連付けて取得し、取得した情報を通信網２００を介して表示制御装置２０００へ送信する点で実施例１と異なる。
【０１３６】
本実施例においては、制御部２０１０が制御手段に相当し、抽出部２０３０が抽出手段に相当し、送信部２０４０が表示制御装置が有する送信手段に相当し、受信部２０５０が表示制御装置が有する受信手段に相当し、表示装置２１００が表示手段に相当し、広告送信装置８０００が有する受信部９０１０に相当する部が広告送信装置が有する受信手段に相当し、検索部９０３０に相当する部が検索手段に相当し、送信部９０４０に相当する部が広告送信装置が有する送信手段に相当する。
【０１３７】
以下、本発明の第３の実施形態について図面を参酌しながら説明する。
【実施例３】
【０１３８】
第３の実施例において説明する広告表示システムは、文書特徴単語、及び文書特徴単語と同一又は類似の意味を有する他の単語のいずれか１つ以上によって特徴を表される広告を表示する点で実施例２と異なる。尚、本実施例では、文書特徴単語と同一又は類似の意味を有する他の単語の一例として、類義語を用いる構成を採用する。
【０１３９】
先ず、図１３を参照して、実施例３における広告表示システムの構成について説明する。図１３は、実施例３における広告表示システムの一構成例を表す図である。
【０１４０】
図１３が示す広告表示システム３０は、通信網３００、１又は複数の表示制御装置３０００、表示装置３１００、及び入力装置３２００、並びに広告送信装置７０００で構成される。尚、本実施例においては、実施例１と同様に、１の表示制御装置３０００、表示装置３１００、及び入力装置３２００でシステムが構成される場合について説明する。
【０１４１】
通信網３００、表示制御装置３０００、表示装置３１００、入力装置３２００、及び広告送信装置７０００の接続、構成、及び機能は、実施例２で説明した通信網２００、表示制御装置２０００、表示装置２１００、入力装置２２００、及び広告送信装置８０００の接続、構成、及び機能とほぼ同様であるので、以下主に、相違点について説明する。
【０１４２】
表示制御装置３０００は、通信網３００を介して広告送信装置７０００へ、文書特徴単語のみを送信する点で実施例２と異なる。また、表示制御装置３０００は、通信網３００を介して広告送信装置７０００から、表示制御装置３０００が送信した文書特徴単語、及び文書特徴単語の類義語のいずれか１つ以上と、それ又はそれらによって特徴を表される広告とを受信する点で実施例２と異なる。
【０１４３】
ここで図１４を参照して、表示制御装置３０００の構成について説明する。図１４は、実施例３における表示制御装置３０００の一構成例を表す機能ブロック図である。
【０１４４】
表示制御装置３０００は、制御部３０１０、記憶部３０２０、抽出部３０３０、送信部３０４０、受信部３０５０、係数算出部３０６０、及び登録部３０７０で構成される。
【０１４５】
制御部３０１０、記憶部３０２０、抽出部３０３０、送信部３０４０、受信部３０５０、係数算出部３０６０、及び登録部３０７０の接続、構成、及び機能は、実施例２で説明した制御部２０１０、記憶部２０２０、抽出部２０３０、送信部２０４０、受信部２０５０、係数算出部２０６０、及び登録部２０７０の接続、構成、及び機能とほぼ同一であるので以下主に、相違点について説明する。
【０１４６】
制御部３０１０については後述する。
記憶部３０２０は、実施例２と異なり、所定の単語を記憶しない。
【０１４７】
抽出部３０３０は、抽出処理を実行することで、文書を特徴付ける文書特徴単語を抽出し、抽出した文書特徴単語のみを送信部３０４０へ出力する点で実施例２と異なる。つまり、抽出部３０３０は、図９を参照して説明したステップＳＴ０２０６の処理において、送信部３０４０へ文書特徴単語のみを出力する点で実施例２と異なる。
【０１４８】
送信部３０４０は、抽出部３０３０から、文書を特徴付ける単語のみを取得し、通信網３００を介して広告送信装置７０００へ取得した単語を送信する点で実施例２と異なる。
【０１４９】
受信部３０５０は、広告と広告を特徴付ける単語であって送信部３０４０が送信した文書特徴単語、及び文書特徴単語の類義語のいずれか１つ以上の単語とを関連付けて受信し、受信した広告と単語とを関連付けて制御部３０１０へ出力する点で実施例２と異なる。
【０１５０】
制御部３０１０は、表示制御処理を実行することで、受信部３０５０が受信した広告を総和係数に基づいて表示するよう表示装置を制御する点で実施例２と異なる。
【０１５１】
ここで図１５を参照して、実施例３において制御部３０１０が実行する表示制御処理について説明する。図１５は、実施例３において制御部３０１０が実行する表示制御処理の一例を表すフローチャートの一例である。
【０１５２】
まず、制御部３０１０は、ステップＳＴ０５０１からＳＴ０５０６の処理を実行する（ステップＳＴ０５０１からＳＴ０５０６）。尚、ステップＳＴ０５０１からＳＴ０５０６の処理は、図１１を参照して説明したステップＳＴ０４０１からＳＴ０４０６の処理と同様であるので説明を省略する。ただし、ステップＳＴ０５０５における所定の係数は、本実施例においては、「+0.1」として正の値とする点で実施例２と異なる。
【０１５３】
ステップＳＴ０５０２において、制御部３０１０は、未処理の広告が存在しないと判断した場合には、表示装置３１００が総和係数の昇順に従って広告を表示するよう制御する（ステップＳＴ０５０７）。その後、制御部３０１０は、表示制御処理の実行を終了する。
【０１５４】
次に、図１３に戻り、広告表示システム３０の構成について引き続き説明を行う。
広告送信装置７０００は、受信した文書特徴単語、及び文書特徴単語の類義語のいずれか１つ以上に基づいて広告を検索する点で実施例２と異なる。
【０１５５】
ここで図１６を参照して、実施例３における広告送信装置７０００の構成について説明する。図１６は、実施例３における広告送信装置７０００の一構成例を表す機能ブロック図である。
【０１５６】
広告送信装置７０００は、受信部７０１０、記憶部７０２０、検索部７０３０、及び送信部７０４０で構成される。受信部７０１０、記憶部７０２０、検索部７０３０、及び送信部７０４０の接続、構成、及び機能は、実施例２で説明した広告送信装置８０００を構成する受信部９０１０に相当する部、記憶部９０２０に相当する部、検索部９０３０に相当する部、及び送信部９０４０に相当する部の接続、構成、及び機能とほぼ同様であるので、以下主に、相違点について説明する。
【０１５７】
記憶部７０２０は、互いに類義語の関係にある単語同士を関連付けて類義語表に記憶する。ここで表３を参照して、類義語表について説明する。表３は、類義語表の一例を示す表である。
【０１５８】
【表３】
2009032090.tif 000005
【０１５９】
表３は、単語1フィールドと単語2フィールドとを有する。単語1フィールドには単語が保存され、単語2フィールドには同一レコードの単語1フィールドに保存された単語の類義語が保存される。尚、単語1フィールドはキーフィールドである。
【０１６０】
検索部７０３０は、検索処理を実行することで、受信部７０１０が受信した文書特徴単語、及び文書特徴単語の類義語のいずれか１つ以上に基づいて、記憶部７０２０が記憶する広告を検索する点で実施例２と異なる。
【０１６１】
ここで図１７を参照して、実施例３において検索部７０３０が実行する検索処理について説明する。実施例３において検索部７０３０が実行する検索処理の一例を表すフローチャートである。
【０１６２】
先ず、検索部７０３０は、受信部７０１０から単語（文書特徴単語）を取得する（ステップＳＴ０６０１）。次に、検索部７０３０は、ステップＳＴ０６０３及びＳＴ０６０４の処理対象としていない単語（以下この図において単に、未処理の単語という）が存在するか否かを判断する（ステップＳＴ０６０２）。検索部７０３０は、未処理の単語が存在すると判断する場合にはステップＳＴ０６０３の処理を、そうでない場合にはステップＳＴ０６０５の処理を実行する。
【０１６３】
ステップＳＴ０６０２において、検索部７０３０は、未処理の単語が存在すると判断した場合には、未処理の単語の１つを処理対象単語とする（ステップＳＴ０６０３）。次に、検索部７０３０は、記憶部７０２０が記憶する類義語表から、処理対象単語と関連付けた類義語を取得する（ステップＳＴ０６０４）。その後、検索部７０３０は、ステップＳＴ０６０２に戻り上記処理を繰り返す。
【０１６４】
ステップＳＴ０６０２において、検索部７０３０は、未処理の単語が存在しないと判断した場合には、記憶部３０２０から、文書特徴単語、及び文書特徴単語の同義語のいずれか１つ以上と関連付けた広告を取得する（ステップＳＴ０６０５）。次に、検索部７０３０は、送信部７０４０へ広告と広告の検索に使用した単語とを出力する（ステップＳＴ０６０６）。その後、検索部７０３０は、検索処理の実行を終了する。
【０１６５】
ここで図１８を参照して、表示制御装置３０００と広告送信装置７０００との間で送受信される情報と表示制御装置３０００が表示制御する情報との関係について説明する。図１８は、表示制御装置３０００と広告送信装置７０００との間で送受信される情報と表示制御装置３０００が表示制御する情報との関係について説明するための図である。
【０１６６】
広告送信装置７０００が受信する情報ＩＳＧは、会議において使用される電子ファイルが表す文書を特徴付ける文書特徴単語ＷＣのみを含む。尚、広告送信装置７０００が受信する情報ＩＳＧは、表示制御装置３０００が送信する情報と同じである。
【０１６７】
文書特徴単語ＷＣ及び文書特徴単語ＷＣの重付係数は、実施例２において図１２を参照して説明した文書特徴単語ＷＣ及び文書特徴単語ＷＣの重付係数とほぼ同様であるので説明を省略する。
【０１６８】
次に、広告送信装置７０００を構成する検索部７０３０が広告の検索に使用する情報ＷＫについて説明する。検索に使用する情報ＷＫは、文書特徴単語ＷＣと文書特徴単語ＷＣの類義語ＷＳで構成される。
【０１６９】
以下、文書特徴単語ＷＣの類義語ＷＳは、文書特徴単語ＷＣ１の類義語ＷＳ１、文書特徴単語ＷＣ２の類義語ＷＳ２、及び文書特徴単語ＷＣ３の類義語ＷＳ３で構成される場合を例に挙げて説明する。また、類義語ＷＳ１から３の重み付け係数は所定の係数である「+0.1」とする。
【０１７０】
次に、広告送信装置７０００が送信する情報ＩＳＳについて説明する。尚、広告送信装置７０００が送信する情報ＩＳＳは、表示制御装置３０００が受信する情報と同様である。
【０１７１】
ここで例えば、広告送信装置７０００が送信する情報ＩＳＳは、広告ＡＤ１と広告ＡＤ１の検索に用いた広告ＡＤ１を特徴付ける単語ＷＣ１及びＷＳ３とを関連付けた情報、広告ＡＤ２と単語ＷＣ２及びＷＳ１とを関連付けた情報、並びに広告ＡＤ３と単語ＷＣ１、ＷＣ２、及びＷＳ２とを関連付けた情報を含む場合について説明する。
【０１７２】
広告ＡＤ１を特徴付ける広告特徴単語は単語ＷＣ１及びＷＣ３であるため、広告ＡＤ１を特徴付ける広告特徴単語の重付係数の総和は「0.5」と「0.2」とを和算して「0.7」となる。同様に計算することで、広告ＡＤ２及びＡＤ３を特徴付ける広告特徴単語の重付係数の総和は「0.4」及び「0.8」となる。
【０１７３】
ここで、広告ＡＤ１と３は、文書特徴単語ＷＣ１及び３で共に特徴付けられる。一方で、広告ＡＤ３は、文書特徴単語ＷＣ１及び３以外に、文書特徴単語ＷＣ２の類義語ＷＳ２によっても特徴付けられる。
【０１７４】
よって、広告ＡＤ３は広告ＡＤ１よりも文書の内容を良く特徴付けるといえる。また、広告ＡＤ３の総和係数は広告ＡＤ１の総和係数よりも大きい値である。よって、一般的に、広告ＡＤを特徴付ける広告特徴単語の総和係数は、広告ＡＤが文書の内容を特徴付ける程度を数値をもって表すといえる。
【０１７５】
次に、表示制御装置３０００が表示制御する広告ＡＤＣについて説明する。表示制御装置３０００は、例えば、総和係数が大きい順(つまり、文書の内容を特徴付ける順)に、広告ＡＤ３、ＡＤ１、及びＡＤ２を表示するよう表示装置３１００を制御する。
【０１７６】
上記実施例において、文書特徴単語と同一又は類似の意味を有する他の単語として類義語を用いる構成を採用したが、これに限定されるわけではない。例えば、同義語、同一又は類似の意味を有する外国語の単語をカタカナ表記したもの、平仮名、片仮名、及びローマ字の文字を相互に変更した単語、同一又は類似の観念を生ずる単語、並びにその他社会通念上同一と認められる単語を採用することができる。
【０１７７】
本実施例においては、制御部３０１０が制御手段に相当し、抽出部３０３０が抽出手段に相当し、送信部３０４０が表示制御装置が有する送信手段に相当し、受信部３０５０が表示制御装置が有する受信手段に相当し、表示装置３１００が表示手段に相当し、受信部７０１０が広告送信装置が有する受信手段に相当し、検索部７０３０が検索手段に相当し、送信部７０４０が広告送信装置が有する送信手段に相当する。
【０１７８】
以下、本発明の第４の実施形態について図面を参酌しながら説明する。
【実施例４】
【０１７９】
第４の実施例において説明する広告表示システムは、実施例１で説明した広告送信装置が有する機能を備えた表示制御装置で構成される点で実施例１と異なる。
【０１８０】
先ず、図１９を参照して、実施例４における広告表示システムの構成について説明する。図１９は、実施例４における広告表示システムの一構成例を表す図である。
【０１８１】
図１９が示す広告表示システム４０は、１又は複数の表示制御装置４０００、表示装置４１００、及び入力装置４２００で構成される。尚、本実施例においては、実施例１と同様に、１の表示制御装置４０００、表示装置４１００、及び入力装置４２００でシステムが構成される場合について説明する。
【０１８２】
表示制御装置４０００、表示装置４１００、及び入力装置４２００の接続、構成、及び機能は、実施例１で説明した表示制御装置１０００、表示装置１１００、及び入力装置１２００の接続、構成、及び機能とほぼ同様であるので、以下主に、相違点について説明する。
【０１８３】
表示制御装置４０００は、実施例１で説明した表示制御装置１０００が有する機能と広告送信装置９０００が有する機能とを併せ持つ点で実施例１と異なる。
【０１８４】
ここで図２０を参照して、表示制御装置４０００の構成について説明する。図２０は、実施例４における表示制御装置４０００の一構成例を表す機能ブロック図である。
【０１８５】
表示制御装置４０００は、制御部４０１０、記憶部４０２０、抽出部４０３０、及び検索部４０９０で構成され、実施例１で説明した送信部１０４０及び受信部１０５０に相当する部を有しない点で実施例１と異なる。
【０１８６】
制御部４０１０、記憶部４０２０、抽出部４０３０、及び検索部４０９０の接続、構成、及び機能は、実施例１で説明した表示制御装置１０００が有する制御部１０１０、記憶部１０２０、及び抽出部１０３０、並びに広告送信装置９０００が有する検索部９０３０の接続、構成、及び機能とほぼ同一であるので以下主に、相違点について説明する。
【０１８７】
制御部４０１０は、入力装置４２００、記憶部４０２０、及び抽出部４０３０のみならず検索部４０９０に接続し、実施例１で説明した送信部１０４０及び受信部１０５０に相当する部に接続しない点で実施例１と異なる。
【０１８８】
また、制御部４０１０は、表示制御処理において、受信部１０５０に相当する部が受信した広告ではなく、検索部４０９０が検索した広告を表示するように表示装置４１００を制御する点で実施例１と異なる。
【０１８９】
記憶部４０２０は、実施例１で説明した表示制御装置１０００が有する記憶部１０２０が記憶する情報、及び広告送信装置９０００が有する記憶部９０２０が記憶する情報の双方を記憶する点で実施例１と異なる。
【０１９０】
抽出部４０３０は、実施例１で説明した送信部１０４０に相当する部に接続しない点で実施例１と異なる。また、抽出部４０３０は、図５を参照して説明した抽出処理のステップＳＴ０１０４において、送信部１０４０に相当する部ではなく、検索部４０９０に文書特徴単語を出力する点で実施例１と異なる。
【０１９１】
検索部４０９０は、実施例１で説明した受信部９０１０、記憶部９０２０、及び送信部９０４０に相当する部に接続せず、制御部４０１０、記憶部４０２０、及び抽出部４０３０に接続する点で実施例１と異なる。
【０１９２】
検索部４０９０は、検索処理を実行することで、抽出部４０３０から文書特徴単語を取得し、取得した文書特徴単語のいずれか１つ以上と関連付けた広告を記憶部４０２０から検索し、検索した広告を制御部４０１０へ出力する点で実施例１と異なる。
【０１９３】
本実施例においては、制御部４０１０が制御手段に相当し、抽出部４０３０が抽出手段に相当し、表示装置４１００が表示手段に相当し、検索部４０９０が検索手段に相当する。
【０１９４】
表示制御装置１０００、表示制御装置２０００、表示制御装置３０００、表示制御装置４０００、広告送信装置９０００、広告送信装置８０００、及び広告送信装置７０００の有する機能は、ＲＯＭ、ＲＡＭ、外部記憶装置の少なくともひとつに格納されたプログラムを演算部が実行することにより実現できる。また、このプログラムは、例えば、磁気ディスクや光ディスク、半導体メモリ、その他の記録媒体に格納して配布、又はネットワークを介した配信によって提供できる。
【０１９５】
以上本発明の好ましい実施例について詳述したが、本発明は係る特定の実施例に限定されるものではなく、特許請求の範囲に記載された本発明の要旨の範囲内において、種々の変形、変更が可能である。
【０１９６】
上記実施形態では、外部記憶装置はハードディスク（Hard Disk）で構成されるとして説明したが、これに限定されるわけではなく、例えば、フレキシブルディスク、ＣＤ−ＲＯＭ（Compact Disc Read Only Memory）、ＤＶＤ−ＲＯＭ（Digital Versatile Disk Read Only Memory）、ＤＶＤ−ＲＡＭ（Digital Versatile Disk Random Access Memory）、ＭＯ（magneto-optic）、及び、フラッシュメモリ（flash memory）で構成される実施形式を採用できる。
【図面の簡単な説明】
【０１９７】
【図１】本発明に係る広告表示システムの一実施形態を示す機能ブロック図である。
【図２】表示制御装置の一構成例について説明するための機能ブロック図である。
【図３】ソフトウェア制御を実現するための表示制御装置のハードウェアの一構成例を表す図である。
【図４】制御部が実行する制御処理の一例を表すフローチャートである。
【図５】抽出部が実行する抽出処理の一例を表すフローチャートである。
【図６】広告送信装置の一構成例を表す機能ブロック図である。
【図７】実施例２における広告表示システムの一構成例を表す図である。
【図８】実施例２における表示制御装置の一構成例を表す機能ブロック図である。
【図９】実施例２において抽出部が実行する抽出処理の一例を表すフローチャートである。
【図１０】係数算出部が実行する係数算出処理の一例を表すフローチャートである。
【図１１】実施例２において制御部が実行する表示制御処理の一例を表すフローチャートの一例である。
【図１２】表示制御装置と広告送信装置との間で送受信される情報等について説明するための図である。
【図１３】実施例３における広告表示システムの一構成例を表す図である。
【図１４】実施例３における表示制御装置の一構成例を表す機能ブロック図である。
【図１５】実施例３において制御部が実行する表示制御処理の一例を表すフローチャートの一例である。
【図１６】実施例３における広告送信装置の一構成例を表す機能ブロック図である。
【図１７】実施例３において検索部が実行する検索処理の一例を表すフローチャートである。
【図１８】表示制御装置と広告送信装置との間で送受信される情報等について説明するための図である。
【図１９】実施例４における広告表示システムの一構成例を表す図である。
【図２０】実施例４における表示制御装置の一構成例を表す機能ブロック図である。
【符号の説明】
【０１９８】
１０…広告表示システム            １００…通信網                    
１０００…表示制御装置            １００１…演算部                  
１００２…ＲＯＭ                  １００３…ＲＡＭ                  
１００４…外部記憶部              １００５…バス                    
１０１０…制御部（制御手段）      １０２０…記憶部                  
１０３０…抽出部（抽出手段）      １０４０…送信部（送信手段）      
１０５０…受信部（受信手段）      １１００…表示装置（表示手段）    
１２００…入力装置                ２０…広告表示システム            
２００…通信網                    ２０００…表示制御装置            
２０１０…制御部（制御手段）      ２０２０…記憶部                  
２０３０…抽出部（抽出手段）      ２０４０…送信部（送信手段）      
２０５０…受信部（受信手段）      ２０６０…係数算出部              
２０７０…登録部                  ２１００…表示装置（表示手段）    
２２００…入力装置                ３０…広告表示システム            
３００…通信網                    ３０００…表示制御装置            
３０１０…制御部（制御手段）      ３０２０…記憶部                  
３０３０…抽出部（抽出手段）      ３０４０…送信部（送信手段）      
３０５０…受信部（受信手段）      ３０６０…係数算出部              
３０７０…登録部                  ３１００…表示装置（表示手段）    
３２００…入力装置                ４０…広告表示システム            
４０００…表示制御装置            ４０１０…制御部（制御手段）      
４０２０…記憶部                  ４０３０…抽出部（抽出手段）      
４０９０…検索部（検索手段）      ４１００…表示装置（表示手段）    
４２００…入力装置                ７０００…広告送信装置            
７０１０…受信部（受信手段）      ７０２０…記憶部                  
７０３０…検索部（検索手段）      ７０４０…送信部（送信手段）      
８０００…広告送信装置            ９０００…広告送信装置            
９０１０…受信部（受信手段）      ９０２０…記憶部                  
９０３０…検索部（検索手段）      ９０４０…送信部（送信手段）      
ＡＤ１〜３…広告                  ＡＤＣ…表示制御装置が表示制御する広告
ＩＳＧ…広告送信装置が受信する情報
ＩＳＳ…広告送信装置が送信する情報
Ｒ…会議室                        ＷＣ…文書特徴単語                
ＷＤ…所定の単語                  ＷＫ…広告の検索に使用する情報    
ＷＳ…類義語                      
【図１】
2009032090.tif 000006
【図２】
2009032090.tif 000007
【図３】
2009032090.tif 000008
【図４】
2009032090.tif 000009
【図５】
2009032090.tif 000010
【図６】
2009032090.tif 000011
【図７】
2009032090.tif 000012
【図８】
2009032090.tif 000013
【図９】
2009032090.tif 000014
【図１０】
2009032090.tif 000015
【図１１】
2009032090.tif 000016
【図１２】
2009032090.tif 000017
【図１３】
2009032090.tif 000018
【図１４】
2009032090.tif 000019
【図１５】
2009032090.tif 000020
【図１６】
2009032090.tif 000021
【図１７】
2009032090.tif 000022
【図１８】
2009032090.tif 000023
【図１９】
2009032090.tif 000024
【図２０】
2009032090.tif 000025